(57)【要約】【課題】両側のコーナー壁面の交差角度が９０度になっていない内隅コーナーに設置できるコーナー棚。【解決手段】一方の方向に沿う一方の取付部１３と、一方の方向に９０度で交差する他方の方向に沿う他方の取付部１４と、これら両方の取付部１３，１４の間に形成され上面を棚面とした棚板部１２とを一体に備え、一方の取付部１３には、複数本のビス８を挿通できる一つ又は複数個のビス用挿通孔１５が穿設され、他方の取付部１４には、一方の取付部１３から同一又は略同一の距離Ｘだけ離れた箇所に、ビス用挿通孔１６及びコーナー壁面側となる外側面から突出した離隔支持用凸部１７の一組を備えたこと。【選択図】図１
2008048778.tif 000002
【特許請求の範囲】
【請求項１】
一方の方向に沿う一方の取付部と、一方の方向に９０度で交差する他方の方向に沿う他方の取付部と、これら両方の取付部の間に形成され上面を棚面とした棚板部と、を一体に備えたコーナー棚において、一方の取付部には、複数本のビスを挿通できる一つ又は複数個のビス用挿通孔が穿設され、他方の取付部には、ビス用挿通孔とコーナー壁面側となる外側面から突出した離隔支持用凸部との一組を備え、一方の取付部からビス用挿通孔までの距離と、一方の取付部から離隔支持用凸部までの距離とを同一又は略同一としたことを特徴とするコーナー棚。
【請求項２】
前記他方の取付部は、前記離隔支持用凸部の内側に前記ビス用挿通孔を設けるか、または、前記ビス用挿通孔が形成されている前記他方の方向に沿う領域内に前記離隔支持用凸部を設けた請求項１記載のコーナー棚。
【発明の詳細な説明】
【技術分野】
【０００１】
本発明は、浴室等の内隅コーナーを形成する両側のコーナー壁面にわたって取付けるコーナー棚に関するものである。
【背景技術】
【０００２】
従来のコーナー棚１は、図１１の底面図に示す如く、一方の方向（矢符Ｆ方向）に沿う一方の取付部３と、一方の方向（矢符Ｆ方向）に９０度で交差する他方の方向（矢符Ｇ方向）に沿う他方の取付部４と、これら両方の取付部３，４の間に形成され上面を棚面とした棚板部２とを一体に備え、両方の取付部３，４の各々に二つのビス用挿通孔５，５が穿設されているものがある（特許文献１）。このコーナー棚１の取り付け施工は、施工現場で壁パネル６，７を建て込む等して形成された内隅コーナーに、作業者が所定位置にビス用下孔９，９…を設け、その後にコーナー壁面６ａ，７ａにコーナー棚１の取付部３，４を対向させた状態で、各ビス用下孔９にビス用挿通孔５を介して取付ビス８を螺着し、コーナー壁面６ａ，７ａに取付部３，４を圧接した状態でコーナー棚１を取り付ける。
【特許文献１】特開２０００−４１９０１公報
【発明の開示】
【発明が解決しようとする課題】
【０００３】
ところで、内隅コーナーを形成する両側のコーナー壁面６ａ，７ａは、交差角度θが９０度となるように設計されているが、施工上の種々の要因により、交差角度θが９０度より若干小さい状態（例えば、コーナー壁面７ａ−１に位置する状態）、または、交差角度θが９０度より若干大きい状態（例えば、コーナー壁面７ａ−２に位置する状態）に施工されることがある。この場合、交差角度θが９０度でない両側のコーナー壁面６ａ，７ａにコーナー棚１の９０度で交差する取付部３，４を取付ビス８の緊締で当接させるように取り付ける場合には、コーナー棚１の取付部３，４を変形させることになり、取付部３，４等に大きな内部応力が生じる。
【０００４】
コーナー棚１は、取付ビス８の緊締で取付部３，４等に大きな内部応力が生じると、取付部３，４等にクラックが入る等して損傷することがある。もし、損傷させた場合には、新たなコーナー棚１と交換して、交換したコーナー棚１とコーナー壁面６ａ及び／又は７ａとの間に調節用シムを介在させる等して、取付部３，４に大きな内部応力を生じさせないように調整しつつ作業を行わなければならないので、新たに交換するコーナー棚１の取り寄せや調節用シムの準備を必要とすると共に、コーナー棚１の交換及び調整の作業に多くの手間を必要とする問題が生じる。
【０００５】
本発明は、両側のコーナー壁面の交差角度が９０度になっていない内隅コーナーに、破損させることなく取り付けることができるコーナー棚の提供を目的とする。
【課題を解決するための手段】
【０００６】
請求項１記載の本発明が採用した手段は、一方の方向に沿う一方の取付部と、一方の方向に９０度で交差する他方の方向に沿う他方の取付部と、これら両方の取付部の間に形成され上面を棚面とした棚板部と、を一体に備えたコーナー棚において、一方の取付部には、複数本のビスを挿通できる一つ又は複数個のビス用挿通孔が穿設され、他方の取付部には、ビス用挿通孔とコーナー壁面側となる外側面から突出した離隔支持用凸部との一組を備え、一方の取付部からビス用挿通孔までの距離と、一方の取付部から離隔支持用凸部までの距離とを同一又は略同一としたことを特徴とするコーナー棚である。
【０００７】
請求項２記載の本発明が採用した手段は、前記他方の取付部は、前記離隔支持用凸部の内側に前記ビス用挿通孔を設けるか、または、前記ビス用挿通孔が形成されている前記他方の方向に沿う領域内に前記離隔支持用凸部を設けた請求項１記載のコーナー棚である。      
【０００８】
なお、請求項１記載のコーナー棚において、前記一方の取付部は、前記ビス用挿通孔を前記一方の方向に沿う長孔とし、また、前記他方の取付部は、前記ビス用挿通孔を前記他方の方向に沿う長孔とし、前記離隔支持用凸部の内側に該長孔を設けることもある。
この場合のコーナー棚は、両方のコーナー壁面に予めビス用下孔を設けるときに、ビス用下孔の位置に多少の誤差があっても、長孔のビス用挿通孔の範囲内にビス用下孔を位置させて取付ビスを螺着させることができる。また、他方の取付部における離隔支持用凸部の内側に長孔を形成してあるので、ビス頭部が当接する長孔の開口縁部が常に離隔支持用凸部の形成領域内に位置することになり、離隔支持用凸部や取付ビスの近辺に生じる内部応力を極力小さくできる。
【０００９】
また、請求項１記載のコーナー棚において、前記一方の取付部は、前記ビス用挿通孔を前記一方の方向に沿う長孔とし、また、前記他方の取付部は、前記ビス用挿通孔を前記他方の方向に沿う長孔とし、該長孔が形成されている前記他方の方向に沿う領域内に前記離隔支持用凸部を設けることもある。
この場合のコーナー棚は、両方のコーナー壁面に予めビス用下孔を設けるときに、ビス用下孔の位置に多少の誤差があっても、長孔のビス用挿通孔の範囲内にビス用下孔を位置させて取付ビスを螺着させることができる。また、他方の取付部における長孔が形成されている他方の方向に沿う領域内に離隔支持用凸部を設けてあるので、ビス頭部が当接する長孔の開口縁部と離隔支持用凸部とを接近させて、離隔支持用凸部や取付ビスの近辺に生じる内部応力を極力小さくできる。
【００１０】
更に、コーナー棚は、一方の方向に沿う一方の取付部と、一方の方向に９０度で交差する他方の方向に沿う他方の取付部と、これら両方の取付部の間に形成され上面を棚面とした棚板部と、を一体に備えたコーナー棚において、一方の取付部に付着させる接着剤又は粘着テープを備え、他方の取付部には、ビス用挿通孔とコーナー壁面側となる外側面から突出した離隔支持用凸部との一組を備え、一方の取付部からビス用挿通孔までの距離と、一方の取付部から離隔支持用凸部までの距離とを同一又は略同一としたものとすることもある。
この場合のコーナー棚は、内隅コーナー部を形成する一方のコーナー壁面及び他方のコーナー壁面に取付け施工するとき、一方の取付部が、一方のコーナー壁面に接着剤又は粘着テープで接合されて取り付けられ、また、他方の取付部が、他方のコーナー壁面に対して、当接する離隔支持用凸部で離隔させた状態にして、ビス用挿通孔へ挿通した取付ビスで取り付けできるので、両方のコーナー壁面の交差角度が９０度になっていない場合でも、他方のコーナー壁面に対して他方の取付部を、離隔支持用凸部以外の部分で当接させないようにして取り付けでき、更に、離隔支持用凸部と取付ビスとが近接するので、離隔支持用凸部や取付ビスの近辺を破損に至らしめるような大きな内部応力を生じさせないように、適度の緊締力で取付ビスを螺着できる。
【発明の効果】
【００１１】
請求項１記載の本発明に係るコーナー棚は、内隅コーナー部を形成する一方のコーナー壁面及び他方のコーナー壁面に取付け施工するとき、一方の取付部が、一方のコーナー壁面に当接した状態にして、ビス用挿通孔へ挿通した複数本の取付ビスで取り付けられ、また、他方の取付部が、他方のコーナー壁面に対して、当接する離隔支持用凸部で離隔させた状態にして、ビス用挿通孔へ挿通した取付ビスで取り付けできるので、両方のコーナー壁面の交差角度が９０度になっていない場合でも、他方のコーナー壁面に対して他方の取付部を、離隔支持用凸部以外の部分で当接させないようにして取り付けでき、更に、離隔支持用凸部と取付ビスとが近接するので、離隔支持用凸部や取付ビスの近辺を破損に至らしめるような大きな内部応力を生じさせないように、適度の緊締力で取付ビスを螺着できる。
【００１２】
請求項２記載の本発明に係るコーナー棚は、前記離隔支持用凸部の内側に前記ビス用挿通孔を設けるる場合には、ビス頭部が当接するビス用挿通孔の開口縁部が常に離隔支持用凸部の形成領域内に位置することになり、離隔支持用凸部や取付ビスの近辺に生じる内部応力を極力小さくでき、また、前記ビス用挿通孔が形成されている前記他方の方向に沿う領域内に前記離隔支持用凸部を設けた場合には、ビス頭部が当接するビス用挿通孔の開口縁部と離隔支持用凸部とを接近させて、離隔支持用凸部や取付ビスの近辺に生じる内部応力を極力小さくできる。
【発明を実施するための最良の形態】
【００１３】
本発明に係るコーナー棚（以下、「本発明コーナー棚」と言う。）を図面に示す実施形態に基づいて説明する。
【００１４】
（第１の実施の形態）
図１乃至図８は本発明の第１の実施の形態を示すものであり、図１は本発明コーナー棚１１をコーナー側上方から見た斜視図、図２は本発明コーナー棚１１の底面図、図３は一方の取付部１３を正視した側面図、図４は図３のＩＶ−ＩＶ線で断面して拡大したビス用挿通孔１５近辺の拡大断面図、図５は他方の取付部１４を正視した側面図、図６は図５のＶＩ−ＶＩ線で断面して拡大したビス用挿通孔１６近辺の拡大断面図、図７（Ａ）は図５のＶＩＩ−ＶＩＩ線で断面して拡大したビス用挿通孔１６近辺の拡大断面図、図７（Ｂ）は図５のＶＩＩ−ＶＩＩ線で断面して拡大した別態様を示す拡大断面図、図８（Ａ）〜（Ｃ）は施工手順を示す底面図、図８（Ｄ）は他方のコーナー壁面７ａに離隔支持用凸部１７を当接させて他方の取付部１４を取付ビス８で止め付けた構造を拡大した平面断面図である。
【００１５】
本例の本発明コーナー棚１１は、図１及び図２に示す如く、一方の方向（矢符Ｆ方向）に沿う一方の取付部１３と、一方の方向（矢符Ｆ方向）に角度θが９０度で交差する他方の方向（矢符Ｇ方向）に沿う他方の取付部１４と、これら両方の取付部１３，１４の間に形成され上面を棚面１２ａとした棚板部１２と、棚板部１２の円弧縁に沿って設けた湾曲縁部１８とを一体に備えており、ＡＢＳ等の合成樹脂素材等で成形されている。両方の取付部１３，１４は、図３及び図５に示す如く、上半部（１３ａ，１４ａ）が棚板部１２から上方へ突設していると共に、上半部（１３ａ，１４ａ）に比べて高さ寸法の大きな下半部（１３ｂ，１４ｂ）が棚板部１２から下方へ垂下し、コーナー側の各々が湾曲するコーナ部２１で連結されている。湾曲縁部１８は、棚板部１２の円弧縁を囲み、上半部１８ａが棚板部１２から上方へ突設していると共に、上半部１８ａに比べて高さ寸法の短い下半部１８ｂが棚板部１２から下方へ垂下し、両側が両方の取付部１３，１４に連結している。棚板部１２は、コーナー側に開口部１９を開設して、排水や清掃等がし易くなっている。
【００１６】
前記一方の取付部１３は、図３及び図４に示す如く、下半部１３ｂに二個のビス用挿通孔１５，１５が穿設され、ビス用挿通孔１５の外側面周辺が肉厚Ｔ−１だけ突出した突出領域１３ｃとしてある。各ビス用挿通孔１５は、一方の方向（矢符Ｆ方向）に沿う長孔に形成されている。なお、ビス用挿通孔１５は、図示は省略したが、一個の長孔に形成して、複数本の取付ビス８（図８参照）を挿通できるようにすることもある。また、一方の取付部１３は、コーナー側から棚板部１２の円弧縁近辺まで延設する帯状とすることに限定するものではなく、図示は省略したが、二個のビス用挿通孔１５，１５を設ける二箇所のみに、短冊状にして部分的に設けることも可能である。
【００１７】
前記他方の取付部１４は、図１、図５〜７に示す如く、一方の取付部１３から距離Ｘだけ離れた箇所に、ビス用挿通孔１６及びコーナー壁面側となる外側面１４ｃから突出した離隔支持用凸部１７の一組を設けてある。なお、他方の取付部１４は、ビス用挿通孔１６と離隔支持用凸部１７との位置が若干異なるように、一方の取付部１３からビス用挿通孔１６の中心までの距離と、一方の取付部１３から離隔支持用凸部１７の中心までの距離とを略同一とすることもある。ビス用挿通孔１６及び離隔支持用凸部１７の位置は、一方の取付部１３から他方の取付部１４と湾曲縁部１８との連結部までの距離の半分の位置よりも若干寸法だけ連結部寄りとし、棚板部１２の手前側（末広側）に重い載置物を載置したときに、ビス用挿通孔１６を介して他方のコーナー壁面７ａへ止め付けた取付ビス８（図８（ｃ）参照）に生じる反力をできるだけ小さくするようにして、安定よく支持できるようにしてある。
【００１８】
前記他方の取付部１４は、ビス用挿通孔１６を他方の方向（矢符Ｇ方向）に沿う長孔とし、離隔支持用凸部１７の形成領域内に挿通孔（長孔）１６を設けてある（特に図６，７参照）。離隔支持用凸部１７は、平面に投影した形状が、他方の方向（矢符Ｇ方向）に沿う円弧状に形成され、最大突出部（矢符Ｇ方向に添った中央部）の肉厚Ｔ−２（例えば、Ｔ−２＝１．０ｍｍ程度。図６参照）にして、他方のコーナー壁面７ａとの接触部を上下方向に延びる線状となるようにしてある。前記一方の取付部１３の突出領域１３ｃの肉厚Ｔ−１（例えば、Ｔ−１＝１．０ｍｍ程度。図４参照）と他方の取付部１４の離隔支持用凸部１７の最大突出部の肉厚Ｔ−２（図６参照）とは、等しく又は略等しくしてあり、コーナー壁面６ａと一方の取付部１３との間に形成される隙間と、コーナー壁面７ａと他方の取付部１４との間に形成される隙間とを略等しくなるようにして、施工後の美観上のバランスをとってある。なお、他方の取付部１４は、図７（Ｂ）に示す如く、外側面１４ｃに離隔支持用凸部１７を設けると共に、内側面１４ｄに離隔支持用凸部１７と略同形状のビス頭部当接用座部２０を対向配置するように設けて、斜めに螺進させた取付ビス８の頭部８ａをビス頭部当接用座部２０に当接させるようにすることもある。
【００１９】
本例の本発明コーナー棚１１は、図２に示す如く、一方の取付部１３の二箇所の突出領域１３ｃ，１３ｃが一方のコーナー壁面６ａと当接し、他方の取付部１４の離隔支持用凸部１７が他方のコーナー壁面７ａと当接することができる。ところで、他方のコーナー壁面７ａは、一方のコーナー壁面６ａとの交差角度θが９０度より大きい他方のコーナー壁面７ａ−２と、一方のコーナー壁面６ａとの交差角度θが９０度より小さい他方のコーナー壁面７ａ−１とがあり得るが、他方の取付部１４は、他方のコーナー壁面７ａに対して離隔支持用凸部１７を線状に当接させて離隔するため、コーナー壁面７ａ−２は勿論のことコーナー壁面７ａ−１にも離隔支持用凸部１７を当接させることができる。離隔支持用凸部１７は、前述の如く他方の方向（矢符Ｇ方向）に沿って延びる円弧状に形成してあるので、他方のコーナー壁面７ａと接触する上下方向に延びる線状の接触部の箇所を、交差角度θの異なる他方のコーナー壁面７ａ−１や７ａ−２に応じて変更させることができる。
【００２０】
次に、本例の本発明コーナー棚１１の施工手順を、本発明コーナー棚１１の底面を示す図８に基づいて説明する。図８に示すものは、同図（Ａ）に示す如く、内隅コーナー部を形成するコーナー壁面６ａ，７ａの交差角度θが９０度より大きい場合を示すものである。なお、コーナー壁面６ａ，７ａの交差角度θが９０度より小さい場合も同様の手順で施工される。
【００２１】
先ず、同図（Ａ）に示す如く、コーナー壁面６ａ，７ａの所定位置にビス用下孔９，９，９を設ける。各ビス用下孔９には、必要に応じてアンカー用プラク９ａが埋設される。本発明コーナー棚１１及び三組の取付ビス８を準備しておく。本例の場合には、取付ビス８用の化粧部材１０として化粧キャップ１０ａとキャップ取付用座部材１０ｂを併せて用いる。
【００２２】
次に、同図（Ａ）に示す如く、一方のコーナー壁面６ａに本発明コーナー棚１１の一方の取付部１３を当接させつつ、二組の取付ビス８，８で一方の取付部１３を一方のコーナー壁面６ａに仮と止めし、同図（Ｂ）に示す状態にする。続けて、本発明コーナー棚１１を矢符Ｋ方向へ押圧して他方のコーナー壁面７ａに向かって移動させて、他方のコーナー壁面７ａに離隔支持用凸部１７を当接させ、この状態で他方のコーナー壁面７ａに本発明コーナー棚１１の他方の取付部１４を一組の取付ビス８で止め付ける。
【００２３】
最後に、同図（Ｃ）に示す如く、一方のコーナー壁面６ａに一方の取付部１３の二箇所の突出領域１３ｃ，１３ｃが当接している状態と、他方のコーナー壁面７ａに離隔支持用凸部１７を当接している状態とを確認しつつ、三組の取付ビス８，８，８を交互に増し締めして施工を完了する。
【００２４】
以上の如く、本例の本発明コーナー棚１１は、一方のコーナー壁面６ａ及び他方のコーナー壁面７ａからなる内隅コーナー部に取付け施工するとき、一方の取付部１３が、一方のコーナー壁面６ａに当接した状態にして、ビス用挿通孔１５，１５へ挿通した二本の取付ビス８，８で取り付けられ、また、他方の取付部１４が、他方のコーナー壁面７ａに対して、当接する離隔支持用凸部１７で離隔させた状態にして、ビス用挿通孔１６へ挿通した取付ビス８で取り付けられるので、両方のコーナー壁面６ａ，７ａの交差角度が９０度になっていない場合でも、他方のコーナー壁面７ａに対して他方の取付部１４を、離隔支持用凸部１７以外の部分で当接させないようにして取り付けでき（図８（Ｃ）、図２参照）、更に、離隔支持用凸部１７と取付ビス８とが近接するので、強度の緊締力で取付ビス８を螺着しても、離隔支持用凸部１７やビス８の近辺を破損に至らしめるような大きな内部応力を生じさせないようにできる。
【００２５】
本例の本発明コーナー棚１１は、両方のコーナー壁面６ａ，７ａに予め設けた各ビス用下孔９の位置に多少の誤差があっても、長孔のビス用挿通孔１５，１５，１６で誤差を吸収させることができる。また、本例の本発明コーナー棚１１は、他方の取付部１４における離隔支持用凸部１７の内側に挿通孔（長孔）１６を形成してあるので、ビス頭部が当接する長孔１６の開口縁部が常に離隔支持用凸部１７の形成領域内に位置し（図８（Ｄ）参照）、離隔支持用凸部１７やビス８の近辺に生じる内部応力を極力小さくできる。
【００２６】
また、本例の本発明コーナー棚１１は、取付ビス８用の前記座部材１０ｂの材質がゴム等の軟質のものであれば、取付ビス８の螺着で変形する座部材１０ｂと長孔１６の開口縁部との接触面積が増大して、前記内部応力をより小さくできる。また、前記ビス用挿通孔１５，１６は、長孔とせずに大径の円孔とし、両方のコーナー壁面６ａ，７ａに予め設けた各ビス用下孔９の位置に多少の誤差があっても、大径の円孔で誤差を吸収できるようにすることもある。
【００２７】
（第２の実施の形態）
図９は本発明コーナー棚３１の第２の実施の形態の要部を拡大して示す斜視図である。第２の実施の形態の特徴は、他方の取付部１４が、ビス用挿通孔１６を他方の方向（矢符Ｇ方向）に沿う長孔とし、該挿通孔（長孔）１６が形成されている他方の方向（矢符Ｇ方向）に沿う領域内（好ましくは、この領域の中央）に二つの離隔支持用凸部２７，２７を上下に延設させて設けたことであり、この特徴以外の構成は、前記第１の実施の形態と実質的に同一であり、ここでの詳細な説明を省略する。離隔支持用凸部２７は、平面に投影した形状を円弧状とする以外に、三角形や台形等の多角形で形成することも可能である。本例の本発明コーナー棚３１は、他方の取付部１４におけるビス用挿通孔（長孔）１６が形成されている他方の方向（矢符Ｇ方向）に沿う領域内に離隔支持用凸部２７，２７を設けてあるので、ビス用挿通孔（長孔）１６を挿通する取付ビス８（図８（Ｄ）参照）のビス頭部が当接する挿通孔１６の開口縁部と離隔支持用凸部２７とを接近させて、離隔支持用凸部２７や取付ビス８と接する挿通孔１６の開口縁部の近辺に生じる内部応力を極力小さくできるようになる。
【００２８】
（第３の実施の形態）
図１０は本発明コーナー棚４１の第３の実施の形態の要部を拡大して示す斜視図である。第３の実施の形態の特徴は、他方の取付部１４が、ビス用挿通孔１６を他方の方向（矢符Ｇ方向）に沿う長孔とし、該ビス用挿通孔（長孔）１６が形成されている他方の方向（矢符Ｇ方向）に沿う領域の外側に、挿通孔（長孔）１６に接近する離隔支持用凸部２７を上下に延設させて設けたことであり、この特徴以外の構成は、前記第１の実施の形態と実質的に同一であり、ここでの詳細な説明を省略する。本例の本発明コーナー棚４１は、一方の取付部１３（図１参照）からビス用挿通孔１６までの距離Ｙと、一方の取付部１３（図１参照）から離隔支持用凸部２７までの距離Ｚとの寸法差Ｒを５〜１０ｍｍ程度と小さくして両距離Ｙ，Ｚを略同一としてある。本例の本発明コーナー棚４１は、挿通孔（長孔）１６を挿通する取付ビス８（図８（Ｄ）参照）のビス頭部が当接する挿通孔（長孔）１６の開口縁部と離隔支持用凸部２７とを接近させて、離隔支持用凸部２７や取付ビス８と接する挿通孔１６の開口縁部の近辺に生じる内部応力を極力小さくできるようになる。
【００２９】
（その他の実施の形態）
前記第１及び２の実施の形態においては、図８に示す如く一方のコーナー壁面６ａに対して一方の取付部１３を取付ビス８，８で接合して取り付けているが、ビス接合に限定するものではなく、コーナー棚は、図示は省略したが、一方の取付部１３にビス用挿通孔１５を形成する代わりに接着剤又は粘着テープを備え、一方のコーナー壁面６ａに一方の取付部１３を接着剤又は粘着テープで接合して取り付けることも勿論可能である。一方のコーナー壁面６ａに一方の取付部１３を接着剤又は粘着テープで接合して取り付ける以外の構成は、前記第１及び２の実施の形態と実質的に同一であり、ここでの詳細な説明を省略する。
【産業上の利用可能性】
【００３０】
本発明コーナー棚は、現場組み立て式の浴室ユニットの如く、建て込んて交差する二枚の壁パネルで形成した浴室内コーナーに適用するもの以外に、建物躯体がコンクリート等で形成された室内コーナーや、二つのキャビネットを外側面どうしが９０度で交差するように配置して形成されたキャビネットコーナー等にも適用できる。
【図面の簡単な説明】
【００３１】
【図１】本発明コーナー棚の第１の実施の形態を示すものであって、コーナー側上方から見た斜視図である。
【図２】同実施の形態における本発明コーナー棚の底面図である。
【図３】同実施の形態における一方の取付部を正視した側面図である。
【図４】図３のＩＶ−ＩＶ線で断面して拡大した拡大断面図である。
【図５】同実施の形態における他方の取付部を正視した側面図である。
【図６】図５のＶＩ−ＶＩ線で断面して拡大した拡大断面図である。
【図７】（Ａ）は図５のＶＩＩ−ＶＩＩ線で断面して拡大した拡大断面図、（Ｂ）は図５のＶＩＩ−ＶＩＩ線で断面して拡大した別態様を示す拡大断面図である。
【図８】（Ａ）〜（Ｃ）は施工手順を示す底面図、（Ｄ）は他方のコーナー壁面に離隔支持用凸部を当接させて他方の取付部を取付ビスで止め付けた構造を拡大した平面断面図である。
【図９】本発明コーナー棚の第２の実施の形態の要部を拡大して示す斜視図である。
【図１０】本発明コーナー棚の第３の実施の形態の要部を拡大して示す斜視図である。
【図１１】従来のコーナー棚の施工状態の底面を示すものである。
【符号の説明】
【００３２】
１１…本発明コーナー棚、１２…棚板部、１２ａ…棚面、１３…一方の取付部、１３ａ…上半部、１３ｂ…下半部、１３ｃ…突出領域、１４…他方の取付部、１４ａ…上半部、１４ｂ…下半部、１４ｃ…外側面、１５…ビス用挿通孔、１６…ビス用挿通孔、１６…長孔、１７…離隔支持用凸部、１８…湾曲縁部、１８ａ…上半部、１８ｂ…下半部、１９…開口部、２０…ビス頭部当接用座部、Ｔ−１，Ｔ−２…肉厚、Ｘ…距離
【図１】
2008048778.tif 000003
【図２】
2008048778.tif 000004
【図３】
2008048778.tif 000005
【図４】
2008048778.tif 000006
【図５】
2008048778.tif 000007
【図６】
2008048778.tif 000008
【図７】
2008048778.tif 000009
【図８】
2008048778.tif 000010
【図９】
2008048778.tif 000011
【図１０】
2008048778.tif 000012
【図１１】
2008048778.tif 000013